(57)【要約】【課題】同じ病室に居る複数の患者により呼び出しが行われた場合でも、呼び出しを行った患者以外の患者の個人情報を保護しつつ、呼び出しを行った患者の患者情報を見易く表示する。【解決手段】病室内のベッドの数に応じて設置された複数のナースコール子機により呼び出し操作が行われた場合に、呼び出し操作を行った患者の表示領域ａ，ｂを順番に拡大領域Ａ，Ｂとして表示するとともに、呼び出し操作を行った患者の表示領域ａ，ｂの位置を表示するようにしているので、拡大領域Ａ，Ｂによって呼び出しを行っていない患者の個人情報が隠されて保護される。また、表示領域ａ，ｂを大きくすることができ、呼び出しを行った患者の患者情報を見易く表示することができる。したがって、医療従事者は呼び出し操作を行った患者の患者情報を見易く感じるとともに、その患者の位置を直感的に理解することができる。【選択図】  図３
2010051564.tif 000002
【特許請求の範囲】
【請求項１】
病室内のベッドの数に応じて設置され、患者による呼び出し操作により呼出信号を生成して出力するナースコール子機と、
前記病室内のベッドの数に応じて分割された複数の表示領域に前記ベッドを使用する患者の個人情報を含む患者情報を第一の状態にて表示し、同じ病室に設置された複数のナースコール子機から前記呼出信号を入力した場合に、入力した前記呼出信号によって前記呼び出し操作を行った患者を特定し、前記呼び出し操作を行った患者の表示領域を順番に拡大表示するとともに、前記呼び出し操作を行った患者の前記第一の状態における表示領域の位置を表示する廊下灯と、
を備えたナースコールシステム。
【発明の詳細な説明】
【技術分野】
【０００１】
本発明は、病院や介護施設などで患者や被介護者からの要求に応じて看護師や介護者を呼び出すナースコールシステムに関する。
【背景技術】
【０００２】
従来、ナースコールシステムでは、患者や被介護者（以下、患者と記載する）の近辺（例えば、ベッド近傍など）に設置されたナースコール子機と看護師や介護者（以下、医療従事者と記載する）の居る部屋などに設置されたナースコール親機とを有線や無線などにより接続している。また、ナースコール子機とナースコール親機との間には廊下灯や制御機などが接続されている。
【０００３】
ここで、廊下灯は、病室などの部屋の出入口近傍の廊下側の壁面に取り付けられている。また、廊下灯は、取り付けられている病室の番号やその病室に入院している患者の氏名などの患者情報を表示している。また、廊下灯は、ナースコール親機と連動しており、ベッド近傍に設置されたナースコール子機により患者が呼び出しを行うと、ナースコール子機は、ナースコール親機、医療従事者が携帯する無線端末装置に呼び出しを通知するとともに、廊下灯に呼び出しを通知する。このとき、廊下灯は廊下灯に設けた点灯装置を点灯させる。これにより、医療従事者は、呼び出しを行った患者が居る病室を特定することができる。
【０００４】
ところで、タッチパネル付きの液晶ディスプレイにより廊下灯の表示部を構成し、タッチパネルをタッチしたときに患者の氏名などの患者情報を一定時間表示する技術が知られている（例えば、特許文献１など）。
【特許文献１】特開平１０−１９２３４９号公報
【０００５】
しかしながら、この特許文献１に記載の技術では、病室内に複数のベッドが存在するような場合に、廊下灯の表示部に複数の患者の氏名が同時に表示されてしまうので、患者の個人情報を必要以上に露出してしまうという問題があった。
【０００６】
このような問題を解決するために、液晶ディスプレイにより廊下灯の表示部を構成し、病室内の複数の患者の患者情報を表示部に表示する場合に、患者の数に応じた患者個々の表示領域を設け、呼び出しを行った患者の表示領域のみに患者情報を表示する技術が知られている（例えば、特許文献２など）。
【特許文献２】特開２００６−２１０２９号公報
【０００７】
しかしながら、この特許文献２に記載の技術では、複数の患者の患者情報を表示する際に、表示領域を患者の数で分割して表示するため、一つの表示領域が小さくなり、患者情報が見難くなってしまうという問題があった。特に、呼び出しを行った患者の患者情報は医療従事者にとって見易く表示することが必要であった。
【０００８】
このような問題を解決するために、患者の数に応じた複数の表示領域を設け、呼び出しを行った患者の患者情報を複数の表示領域を用いて拡大表示し、呼び出しを行った患者の位置を示す位置情報を患者情報とともに表示する技術が知られている（例えば、特許文献３など）。
【特許文献３】特開２００７−２２８９８４号公報
【０００９】
しかしながら、この特許文献３に記載の技術では、同じ病室に居る複数の患者が呼び出しを行った場合には、一人の患者が呼び出しを行った場合に比べて患者情報の表示領域が小さくなってしまうという問題があった。
【発明の開示】
【発明が解決しようとする課題】
【００１０】
本発明は、このような問題を解決するために成されたものであり、液晶ディスプレイなどの表示装置によって廊下灯の表示部を構成し、同じ病室に居る複数の患者により呼び出しが行われた場合でも、呼び出しを行った患者以外の患者の個人情報を保護しつつ、呼び出しを行った患者の患者情報を見易く表示することを目的とする。
【課題を解決するための手段】
【００１１】
上述した課題を解決するために、本発明では、呼び出しが行われていない第一の状態において、病室内のベッドの数に応じて分割された複数の表示領域にベッドを使用する患者の個人情報を含む患者情報を表示しており、病室内のベッドの数に応じて設置された複数のナースコール子機により呼び出し操作が行われた場合に、呼び出し操作を行った患者の表示領域を順番に拡大表示するとともに、呼び出し操作を行った患者の第一の状態における表示領域の位置を表示するようにしている。
【発明の効果】
【００１２】
上記のように構成した本発明によれば、呼び出し操作を行った患者の表示領域が拡大表示されるので、拡大表示された表示領域によって呼び出しを行っていない患者の個人情報が隠されて保護される。また、呼び出し操作を行った複数の患者の表示領域が順番に拡大表示されるので、表示領域を大きくすることができ、呼び出しを行った患者の患者情報を見易く表示することができる。
【発明を実施するための最良の形態】
【００１３】
以下、本発明の一実施形態を図面に基づいて説明する。図１は、本実施形態によるナースコールシステム全体の構成例を示す図である。図１に示すように、本実施形態によるナースコールシステムは、ナースコール子機１、ナースコール親機１０、制御機２０、廊下灯３０を備えて構成されている。
【００１４】
また、ナースコール子機１は、操作ユニット１ａおよびウォールユニット１ｂにより構成されている。操作ユニット１ａは、病室の各患者が手元で呼び出し操作や通話ができるようにウォールユニット１ｂのコンセントに接続されている。また、操作ユニット１ａは、患者が医療従事者を呼び出すための呼び出しボタン１ｃ、患者が医療従事者と会話を行う際に使用するマイク（図示せず）およびスピーカ（図示せず）を備えている。
【００１５】
ウォールユニット１ｂは、病室の各患者のベッドサイドの壁面に埋め込まれており、廊下灯３０に接続されている。また、ウォールユニット１ｂは、医療従事者が緊急時に他の医療従事者を呼び出すための呼び出しボタン（図示せず）、患者が医療従事者を呼び出したときに、医療従事者が操作して呼び出し動作を解除するための復旧ボタン１ｄ、操作ユニット１ａを接続するためのコンセントを備えている。また、ウォールユニット１ｂは、患者が医療従事者と会話を行う際に使用するマイクおよびスピーカを必要に応じて備える。ここで、少なくとも操作ユニット１ａは、病室内のベッドの数に応じて設置されており、それぞれの患者が個別に使用可能である。
【００１６】
ナースコール親機１０は、例えば、医療従事者が常駐するナースセンターなどに設置される。また、ナースコール親機１０は、ハンドセット１０ａを備えている。ハンドセット１０ａは、患者からの呼び出し（ナースコール子機１による呼び出し）に対する応答の操作または患者（ナースコール子機１）を呼び出す操作を行うためのものである。
【００１７】
制御機２０は、通話やデータの送受信に関する制御を行う。廊下灯３０は、病室の出入口近傍の壁面などに病室毎に設置され、病室内の患者名などの患者情報を表示する。また、廊下灯３０は、病室内の患者が医療従事者の呼び出しを行うと、呼び出しが行われたことを表示画面３０ａに表示する。ここで、廊下灯３０に使用されるディスプレイは、タッチパネル付きの液晶パネルなどが使用される。また、病室内の患者が医療従事者の呼び出しを行った場合に、医療従事者が表示画面３０ａを操作すると、呼び出し動作を解除する復旧の操作の機能を廊下灯３０は必要に応じて備えている。
【００１８】
図２は、本実施形態によるナースコールシステムの要部の構成例を示すブロック図である。図２によれば、第一のナースコール子機１Ａ〜第四のナースコール子機１Ｄは、操作部２、子機インターフェース３を備えて構成されている。また、廊下灯３０は、制御部３１、廊下灯インターフェース３２、記憶部３３、表示制御部３４、表示部３５を備えて構成されている。図１および図２において、ナースコール子機１は、患者が入院している病室内のベッドなどに取り付けられており、伝送線を介して廊下灯３０に接続されている。ここで、複数のナースコール子機１Ａ〜１Ｄは、一つの廊下灯３０に対して識別可能に接続されている。
【００１９】
廊下灯３０は、病室毎に設けられており、伝送線を介してナースコール親機１０に接続されている。ここで、複数の廊下灯３０は、一つのナースコール親機１０に対して識別可能に接続されている。
【００２０】
第一のナースコール子機１Ａ〜第四のナースコール子機１Ｄの操作部２は、患者による操作により呼出信号を生成する。ここで、操作部２は、呼び出しボタン１ｃおよび患者の操作により呼出信号を生成する呼出信号生成部（図示せず）を含む。患者は、医療従事者を呼び出したい場合に、呼び出しボタン１ｃを操作する。すると、呼出信号生成部は、呼出信号を生成する。子機インターフェース３は、ナースコール子機１と廊下灯３０とを通信可能に接続し、操作部２により生成された呼出信号を廊下灯３０に出力する。
【００２１】
制御部３１は、廊下灯３０の各構成要素を後述するように制御する。廊下灯インターフェース３２は、廊下灯３０と第一のナースコール子機１Ａ〜第四のナースコール子機１Ｄとを通信可能に接続し、第一のナースコール子機１Ａ〜第四のナースコール子機１Ｄにて生成された呼出信号を入力する。また、廊下灯インターフェース３２は、廊下灯３０とナースコール親機１０とを制御機２０を介して通信可能に接続する。記憶部３３は、廊下灯３０が設置された病室に入院している患者の患者情報を患者の位置情報（例えば、ベッド番号などの病室内におけるベッド位置を特定する情報）と共に予め記憶しておく。
【００２２】
ここで、患者情報は、少なくとも患者の氏名などの個人情報を含む情報である。なお、患者情報および位置情報が必要になる度にナースコール親機１０から患者情報および位置情報を取得するようにすれば、記憶部３３は不要となる。
【００２３】
表示制御部３４は、記憶部３３に記憶されている患者情報に基づいて、図３に示す患者情報を示す表示画面３０ａを生成し、表示部３５に表示させる。表示部３５は、表示制御部３４にて生成された表示画面３０ａを表示する。また、表示制御部３４は、廊下灯インターフェース３２が呼出信号を入力すると、呼び出しが行われたことを示す表示制御を行う。また、表示制御部３４は、個人情報を保護するために、通常の状態において表示画面３０ａを表示部３５に表示させないようにしている。つまり、呼び出しが行われていない場合や、廊下灯３０のタッチパネルが操作されていない場合などに、表示制御部３４は、表示画面３０ａを表示部３５に表示させないようにしている。
【００２４】
廊下灯インターフェース３２がナースコール子機１から呼出信号を入力していない場合に、廊下灯３０のタッチパネルにより、患者情報を表示する操作が行われると（これを第一の状態と呼ぶ）、廊下灯３０は下記の動作を行う。制御部３１は、廊下灯３０が設置されている病室内の全ての患者の患者情報をその患者の位置を示す位置情報とともに記憶部３３から読み出して表示制御部３４に出力する。
【００２５】
表示制御部３４は、図３（Ａ）に示すように、複数の患者の患者情報を表示部３５の表示画面３０ａに表示させる際に、表示画面３０ａの表示領域をベッドの数で分割して表示する。ここで、分割された表示領域のうち、左上部分の第一の表示領域ａには、第一のナースコール子機１Ａを使用する「田中一郎」という患者の個人情報（ここでは氏名）が表示されている。また、分割された表示領域のうち、右上部分の第二の表示領域ｂには、第二のナースコール子機１Ｂを使用する「鈴木次郎」という患者の個人情報が表示されている。また、分割された表示領域のうち、左下部分の第三の表示領域ｃには、第三のナースコール子機１Ｃを使用する「山田太郎」という患者の個人情報が表示されている。また、分割された表示領域のうち、右下部分の第四の表示領域ｄには、患者が存在しないため「空き」という情報が表示されている（第四のナースコール子機１Ｄが設置されている）。
【００２６】
このように表示された第一の状態における表示画面３０ａでは、各患者の表示領域の位置は、実際の病室内における患者の位置を表している。つまり、病室の入り口から病室内を見た場合に、左奥に該当するのが第一の表示領域ａ、右奥に該当するのが第二の表示領域ｂ、左手前に該当するのが第三の表示領域ｃ、右手前に該当するのが第四の表示領域ｄとなる。
【００２７】
表示画面３０ａが表示されていない状態または図３（Ａ）に示す表示が行われている状態において、ある患者（例えば、「田中一郎」）により第一のナースコール子機１Ａの操作部２が操作されて呼び出しが行われると、操作部２は、呼出信号を生成する。子機インターフェース３は、操作部２により生成された呼出信号を廊下灯３０に出力する。また、同じ病室の他の患者（例えば、「鈴木次郎」）により第２のナースコール子機１Ｂの操作部２が操作されて呼び出しが行われると、操作部２は、呼出信号を生成する。子機インターフェース３は、操作部２により生成された呼出信号を廊下灯３０に出力する。
【００２８】
廊下灯インターフェース３２が第一のナースコール子機１Ａから出力された呼出信号および第二のナースコール子機１Ｂから出力された呼出信号を入力すると、制御部３１は、廊下灯３０が呼び出し状態に変化したと判断する。また、廊下灯３０が呼び出し状態に変化したと制御部３１にて判断した場合に、制御部３１は、呼び出し操作を行った患者を特定し、それらの患者の患者情報および位置情報を記憶部３３から抽出して表示制御部３４に出力する。表示制御部３４は、図３（Ｂ）に示すように、呼び出しを行った一人目の患者（ここでは、「田中一郎」）の表示領域（第一の表示領域ａ）を拡大した拡大表示領域Ａを表示部３５に表示させる。
【００２９】
その際に、表示制御部３４は、呼び出し操作を行った患者以外の患者の第一の状態における表示領域（図３（Ａ）の第三の表示領域ｃ、第四の表示領域ｄ）の個人情報（「山田太郎」、「空き」）を覆い、第一の状態における全ての表示領域（図３（Ａ）の第一の表示領域ａ、第二の表示領域ｂ、第三の表示領域ｃ、第四の表示領域ｄ）の一部が見えるように、呼び出し操作を行った患者（「田中一郎」）の表示領域（第一の表示領域ａ）を拡大して表示領域Ａとして表示部３５に表示させる。これと同時に、呼び出し操作を行った一人目の患者の第一の状態における表示領域（第一の表示領域ａ）および呼び出し操作を行った二人目の患者の第一の状態における表示領域（第二の表示領域ｂ）の表示形態を他の表示領域（第三の表示領域ｃ、第四の表示領域ｄ）の表示形態と異ならせて表示させる（例えば、色を異ならせた第一の表示領域ａ´、第二の表示領域ｂ´とする）。
【００３０】
次に、表示制御部３４は、図３（Ｂ）に示すように、呼び出しを行った二人目の患者（ここでは、「鈴木次郎」）の表示領域（第二の表示領域ｂ）を拡大した拡大表示領域Ｂを表示部３５に表示させる。
【００３１】
その際に、表示制御部３４は、呼び出し操作を行った患者以外の患者の第一の状態における表示領域（図３（Ａ）の第三の表示領域ｃ、第四の表示領域ｄ）の個人情報（「山田太郎」、「空き」）を覆い、第一の状態における全ての表示領域（図３（Ａ）の第一の表示領域ａ、第二の表示領域ｂ、第三の表示領域ｃ、第四の表示領域ｄ）の一部が見えるように、呼び出し操作を行った患者（「鈴木次郎」）の表示領域（第二の表示領域ｂ）を拡大して表示領域Ｂとして表示部３５に表示させる。そして、表示制御部３４は、所定の時間間隔で拡大領域Ａと拡大領域Ｂとを交互に表示させている。
【００３２】
なお、本実施形態では、表示制御部３４は、所定の時間間隔で拡大領域Ａと拡大領域Ｂとを交互に表示させているが、これに限定されない。例えば、医療従事者などが廊下灯３０のタッチパネルを操作したときに、拡大領域Ａから拡大領域Ｂへの表示へ切り換えるようにしても良い。要は、拡大領域Ａと拡大領域Ｂとが順番に表示されれば良い。また、拡大領域Ａと拡大領域Ｂとを表示する順番は、先に呼び出しが行われたナースコール子機１に対応する拡大領域を先に表示させるようにしても良いし、呼び出しの優先度が高いナースコール子機１に対応する拡大領域を先に表示させるようにしても良い。
【００３３】
次に、本実施形態によるナースコールシステムの動作および患者情報表示方法を説明する。図４は、本実施形態によるナースコールシステムの動作および患者情報表示方法を示すフローチャートである。まず、ナースコール子機１にて、操作部２が操作されたか否か（呼出信号が出力されたか否か）をナースコール子機１にて調べる（ステップＳ１）。操作部２が操作されていないとナースコール子機１にて判断した場合には（ステップＳ１にてＮＯ）、ステップＳ１の処理を繰り返す。一方、操作部２が操作されたとナースコール子機１にて判断した場合には（ステップＳ１にてＹＥＳ）、子機インターフェース３は、操作部２により生成された呼出信号を廊下灯３０に出力する（ステップＳ２）。
【００３４】
そして、ナースコール子機１が復旧信号を入力したか否かを調べる（ステップＳ３）。ここで、復旧信号は、廊下灯３０のタッチパネル３０の操作などにより生成され、ナースコール子機１に入力される。また、ナースコール子機１の復旧ボタン１ｄの操作によっても同様の動作が行われる。ナースコール子機１が復旧信号を入力した場合には（ステップＳ３にてＹＥＳ）、ステップＳ７の処理に移行する。
【００３５】
一方、ナースコール子機１が復旧信号を入力していない場合には（ステップＳ３にてＮＯ）、他のナースコール子機１の操作部２が操作されたか否かを調べる（ステップＳ４）。他のナースコール子機１の操作部２が操作されていない場合には（ステップＳ４にてＮＯ）、ステップＳ３の処理に戻る。また、他のナースコール子機１の操作部２が操作された場合には（ステップＳ４にてＹＥＳ）、子機インターフェース３は、操作部２により生成された呼出信号を廊下灯３０に出力する（ステップＳ５）。
【００３６】
そして、ナースコール子機１が復旧信号を入力したか否かを調べる（ステップＳ６）。ナースコール子機１が復旧信号を入力していない場合には（ステップＳ６にてＮＯ）、ステップＳ４の処理に戻る。一方、ナースコール子機１が復旧信号を入力した場合には（ステップＳ６にてＹＥＳ）、ステップＳ７の処理に移行する。ステップＳ７では、ナースコール子機１は、呼び出し動作を解除する復旧の動作を行う。
【００３７】
廊下灯３０では、廊下灯インターフェース３２が同じ病室から複数の呼出信号を入力したか否かを制御部３１にて調べる（ステップＳ８）。廊下灯インターフェース３２が複数の呼出信号を入力していないと制御部３１にて判断した場合には（ステップＳ８にてＮＯ）、ステップＳ８の処理を繰り返す。一方、廊下灯インターフェース３２が複数の呼出信号を入力したと制御部３１にて判断した場合には（ステップＳ８にてＹＥＳ）、制御部３１は、呼び出し操作を行った患者の患者情報および位置情報を記憶部３３から読み出して表示制御部３４に出力する。
【００３８】
表示制御部３４は、呼び出し操作を行った患者以外の患者の表示領域（第三の表示領域ｃ、第四の表示領域ｄ）の個人情報を覆うように、呼び出し操作を行った患者の表示領域（ここでは、第一の表示領域ａおよび第二の表示領域ｂ）を順番に拡大表示（拡大領域Ａおよび拡大領域Ｂ）するとともに、呼び出し操作を行った患者の第一の状態における表示領域の位置を表示する（ステップＳ９）。具体的には、拡大領域Ａおよび拡大領域Ｂは、第一の状態における全ての表示領域（第一の表示領域ａ、第二の表示領域ｂ、第三の表示領域ｃ、第四の表示領域ｄ）の一部が見えるように拡大表示されている。また、呼び出し操作を行った患者の第一の状態における表示領域（第一の表示領域ａおよび第二の表示領域ｂ）を他の表示領域（第三の表示領域ｃおよび第四の表示領域ｄ）と異ならせるように表示（色を異ならせた第一の表示領域ａ´）することで、呼び出し操作を行った患者の第一の状態における位置を表示する。
【００３９】
そして、制御部３１は、廊下灯３０のタッチパネルがタッチされて復旧の操作が行われたか否かを調べる（ステップＳ１０）。復旧の操作が行われていないと制御部３１にて判断した場合には（ステップＳ１０にてＮＯ）、ステップＳ１０の処理を繰り返す。一方、復旧の操作が行われたと制御部３１にて判断した場合には（ステップＳ１０にてＹＥＳ）、表示制御部３４は、表示部３５に表示されている表示画面３０ａを元に戻し、制御部３１は、復旧信号を生成してナースコール子機１に出力する（ステップＳ１１）。
【００４０】
以上詳しく説明したように、本実施形態によれば、呼び出しが行われていない第一の状態において、病室内のベッドの数に応じて分割された複数の表示領域にベッドを使用する患者の個人情報を含む患者情報を表示しており（例えば、図３（Ａ））、病室内のベッドの数に応じて設置された複数のナースコール子機１により呼び出し操作が行われた場合に、呼び出し操作を行った患者の表示領域ａ，ｂを順番に拡大表示するとともに、呼び出し操作を行った患者の第一の状態における表示領域の位置を表示するようにしている（例えば、図３（Ｂ）および図３（Ｃ））。
【００４１】
これにより、呼び出し操作を行った患者の表示領域ａ，ｂが拡大表示されるので、拡大表示された拡大領域Ａ，Ｂによって呼び出しを行っていない患者の個人情報が隠されて保護される。また、呼び出し操作を行った複数の患者の表示領域ａ，ｂが順番に拡大表示されるので、表示領域ａ，ｂを大きくすることができ、呼び出しを行った患者の患者情報を見易く表示することができる。したがって、医療従事者は呼び出し操作を行った患者の患者情報を見易く感じるとともに、その患者の位置を直感的に理解することができる。
【００４２】
なお、前述した実施形態では、全ての表示領域（色を異ならせた第一の表示領域ａ´、色を異ならせた第二の表示領域ｂ´、第三の表示領域ｃ、第四の表示領域ｄ）の一部が拡大領域Ａまたは拡大領域Ｂの上下左右に見えているが、これに限定されない。例えば、図５に示すように、第一の状態の表示（図５（Ａ））に対して、呼び出し操作を行った患者の第一の状態における表示領域の位置を位置表示Ｅとして表示するようにしても良い（図５（Ｂ）および図５（Ｃ）を順番に表示する）。
【００４３】
また、前述した実施形態では、記憶部３３や表示制御部３４を廊下灯３０に設けているが、これに限定されない。例えば、ナースコール親機１０などにこれらの構成要素を設けるようにしても良い。
【００４４】
また、前述した実施形態では、二人の患者が呼び出し操作を行っているが、これに限定されない。例えば、三人以上の患者が呼び出し操作を行っても良い。また、前述した実施形態では、同じ病室の中に第一のナースコール子機１Ａ〜第四のナースコール子機１Ｄの四つのナースコール子機１が設置されているが、これに限定されない。例えば、五つ以上のナースコール子機１が設置されていても良い。この場合、各表示領域のレイアウトが異なるだけであり、実質的な構成や動作は前述した実施形態と同様である。
【００４５】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００４６】
本発明は、病院や介護施設などで患者や被介護者からの要求に応じて看護師や介護者を呼び出すナースコールシステムに有用である。
【図面の簡単な説明】
【００４７】
【図１】本実施形態によるナースコールシステム全体の構成例を示す図である。
【図２】本実施形態によるナースコールシステムの要部の構成例を示すブロック図である。
【図３】本実施形態によるナースコールシステムの廊下灯の表示画面の例を示す図である。
【図４】本実施形態によるナースコールシステムの動作および患者情報表示方法を示すフローチャートである。
【図５】本実施形態によるナースコールシステムの廊下灯の表示画面の変形例を示す図である。
【符号の説明】
【００４８】
１    ナースコール子機
１Ａ    第一のナースコール子機
１Ｂ    第二のナースコール子機
１Ｃ    第三のナースコール子機
１Ｄ    第四のナースコール子機
２    操作部
３    子機インターフェース
３０    廊下灯
３１    制御部
３２    廊下灯インターフェース
３３    記憶部
３４    表示制御部
３５    表示部
【図１】
2010051564.tif 000003
【図２】
2010051564.tif 000004
【図３】
2010051564.tif 000005
【図４】
2010051564.tif 000006
【図５】
2010051564.tif 000007